(57)【要約】【課題】ギフト箱等として使用される包装箱において、大胆な形状変化及び商品露出により、優れた訴求効果を得られるようにする。【解決手段】底壁１１の周囲に側板１２を立設した箱本体１と、箱本体１の外周に上下方向にスライド自在に嵌められるスリーブ２とから成り、箱本体１の側板１２の下部を固定部１３とし、上部を可動部１４として、固定部１３と可動部１４の境界に谷折線１５を入れ、隣り合う可動部１４同士を蛇腹状に折り込まれる折込片１６を介して繋ぎ、スリーブ２が可動部１４の外周を包囲する上昇位置にあるとき、可動部１４が直立して折込片１６がコーナー部分に折り込まれた状態に保持され、スリーブ２を固定部１３の外周を包囲する位置まで下降させると、可動部１４を谷折線１５に沿って外側へ開き、折込片１６を広げることができるようにし、箱本体１からスリーブ２を抜け止めする。【選択図】図６
2011105313.tif 000002
【特許請求の範囲】
【請求項１】
底壁(11)の周囲に側板(12)を立設した箱本体(1)と、箱本体(1)の外周に上下方向にスライド自在に嵌められるスリーブ(2)とから成り、箱本体(1)の側板(12)の下部を固定部(13)とし、上部を可動部(14)として、固定部(13)と可動部(14)の境界に谷折線(15)を入れ、隣り合う可動部(14)同士を蛇腹状に折り込まれる折込片(16)を介して繋ぎ、スリーブ(2)が可動部(14)の外周を包囲する上昇位置にあるとき、可動部(14)が直立して折込片(16)がコーナー部分に折り込まれた状態に保持され、スリーブ(2)を固定部(13)の外周を包囲する位置まで下降させると、可動部(14)を谷折線(15)に沿って外側へ開き、折込片(16)を広げることができるようにし、箱本体(1)に対するスリーブ(2)の移動範囲を規制することにより、箱本体(1)からスリーブ(2)を抜け止めした仕掛け付き包装箱。
【発明の詳細な説明】
【技術分野】
【０００１】
この発明は、商品の訴求効果を考慮した仕掛け付きの包装箱に関するものである。
【背景技術】
【０００２】
従来、下記特許文献１には、図８に示すような仕掛け付き包装箱が記載されている。この包装箱は、前壁５１、一対の側壁５２、後壁５３を連設して周壁を形成し、底壁５４で底面を閉止し、後壁５３の上縁に連設した蓋５５で天面を開閉するものである。
【０００３】
この包装箱において、蓋５５は、後壁５３から順次繋がる表面板５６と裏面板５７とを貼り合わせて形成され、蓋５５の基端となる裏面板５７の角部にコーナー片５８を連設して、その外側縁から延びる脚片５９によりコーナー片５８が支持されている。
【０００４】
そして、裏面板５７とコーナー片５８に跨って、中央の山折線６０ａに向かうＶ字状の谷折線６０ｂに挟まれた折込部分６０ｃが設けられ、蓋５５を開くと、折込部分６０ｃのコーナー片５８側から延びた表示板６０が立ち上がるようになっている。
【先行技術文献】
【特許文献】
【０００５】
【特許文献１】特開２００４−１６１３１６号公報
【発明の概要】
【発明が解決しようとする課題】
【０００６】
しかしながら、上記のような仕掛け付き包装箱では、開蓋時の形状の変化が少なく、開口部からの商品の露出も少ないため、同種の商品が競合するギフト商品のＰＲに用いる場合、消費者への訴求効果が十分得られないこともある。
【０００７】
そこで、この発明は、ギフト箱等として使用される包装箱において、大胆な形状変化及び商品露出により、優れた訴求効果を得られるようにすることを課題とする。
【課題を解決するための手段】
【０００８】
上記課題を解決するため、この発明は、底壁の周囲に側板を立設した箱本体と、箱本体の外側に上下方向にスライド自在に嵌められるスリーブとから成り、箱本体の側板の下部を固定部とし、上部を可動部として、固定部と可動部の境界に谷折線を入れ、隣り合う可動部同士を蛇腹状に折り込まれる折込片を介して繋ぎ、スリーブが可動部の外周を包囲する上昇位置にあるとき、可動部が直立して折込片がコーナー部分に折り込まれた状態に保持され、スリーブを固定部の外周を包囲する位置まで下降させると、可動部を谷折線に沿って外側へ開き、折込片を広げることができるようにし、箱本体に対するスリーブの移動範囲を規制することにより、箱本体からスリーブを抜け止めしたのである。
【発明の効果】
【０００９】
この包装箱では、商品の包装時にスリーブを上昇させておき、商品の展示等に際し、箱本体に対しスリーブを下降させると、外側へ開いた側板の可動部及び広げた折込片により大きな告知面を形成でき、これに伴い、側板が下方の固定部のみの高さとなって、商品が大きく露出するので、告知面に囲まれた商品が目立ち、優れた訴求効果を得られる。
【００１０】
また、このとき、箱本体からスリーブが抜けてしまうことがなく、商品の包装や展示作業を容易に行なうことができる。
【図面の簡単な説明】
【００１１】
【図１】第１実施形態に係る仕掛け付き包装箱の組立包装状態を示す斜視図
【図２】同上の箱本体とスリーブのブランクを示す図
【図３】同上の組立過程を示す分解斜視図
【図４】同上のスリーブが上昇した開蓋状態を示す斜視図
【図５】同上のスリーブが下降した状態を示す斜視図
【図６】同上の告知面展開状態を示す斜視図
【図７】第２実施形態に係る仕掛け付き包装箱の告知面展開状態を示す斜視図
【図８】従来の仕掛け付き包装箱の開蓋状態を示す斜視図
【発明を実施するための形態】
【００１２】
まず、この発明の第１実施形態を図１〜図６に基づいて説明する。図１に示すように、この包装箱は、板紙を材料とする箱本体１及びスリーブ２から形成される。
【００１３】
図２に示すように、箱本体１のブランクでは、略正方形の底壁１１の周囲各辺にそれぞれ側板１２が連設されている。側板１２の組立状態における下部は固定部１３、上部は可動部１４とされ、固定部１３と可動部１４の境界には谷折線１５が入れられている。両側一対の側板１２の固定部１３には、両側縁に重合片１３ａが連設されている。
【００１４】
隣り合う側板１２の可動部１４同士は、折込片１６を介して繋がれ、折込片１６には、底壁１１の各角に対し放射状に、中央に位置する山折線１６ａと、その両側方に位置する谷折線１６ｂとが入れられている。
【００１５】
組立状態で後方となる側板１２には、固定部１３及び可動部１４に亘って上下方向に延びるスリット１７が入れられ、前方となる側板１２の可動部１４には、上端縁に指入切欠１４ａが形成されている。
【００１６】
一方、スリーブ２のブランクでは、外周４面をなす枠側板２１が横方向に一列に連設され、その一側に継代片２２が連設されている。各枠側板２１は、箱本体１の側板１２より少し幅が広く、固定部１３及び可動部１４の高さに略対応する高さとなっている。
【００１７】
組立状態で後方となる枠側板２１には、上端に蓋板２３及び差込片２４が順次連設されると共に、中央部に切込によるガイド片２５が設けられている。両側となる枠側板２１には、上端に蓋受片２６が連設され、前方となる枠側板２１には、上端に指入切欠２１ａが形成されている。
【００１８】
いま、この包装箱を組み立てて商品を包装するには、図３に示すように、箱本体１において、底壁１１から各側板１２を起立させ、重合片１３ａを隣り合う側板１２の固定部１３の内面に沿わせる。このとき、折込片１６を山折線１６ａと谷折線１６ｂに沿って蛇腹状に内側へ折り込む。
【００１９】
また、スリーブ２において、枠側板２１を四角筒状に折り曲げ、継代片２２を反対側の枠側板２１に貼り付ける。
【００２０】
次に、図４に示すように、スリーブ２を箱本体１の外周に嵌め、ガイド片２５をスリット１７に差し込み、箱内に商品を収納した後、スリーブ２を、可動部１４の外周を包囲する位置まで上昇させる。
【００２１】
このとき、スリーブ２により、可動部１４が直立して、折込片１６が箱本体１のコーナー部分に折り込まれた状態に保持される。
【００２２】
また、スリーブ２は、箱本体１に対して上下方向にスライド自在となるが、スリット１７の長さ方向におけるガイド片２５の移動範囲が規制されるので、箱本体１からスリーブ２が抜け止めされる。
【００２３】
そして、この状態で、図１に示すように、蓋受片２６を内側へ折り曲げ、蓋板２３を閉じ、差込片２４を前方となる側板１２の可動部１４の内側に沿って箱内に差し込む。
【００２４】
一方、店頭で商品を陳列する際には、指入切欠１４ａ，２１ａを介し差込片２４に指を掛け、図４に示すように、差込片２４を箱内から引き抜いて、蓋板２３を開き、蓋受片２６も外側へ開く。
【００２５】
そして、図５に示すように、スリーブ２を、固定部１３の外周を包囲する位置まで下降させると、図６に示すように、可動部１４を谷折線１５に沿って外側へ開き、折込片１６を広げることができる。
【００２６】
このように、上記包装箱では、箱本体１に対しスリーブ２を下降させると、外側へ開いた可動部１４及び広げた折込片１６により大きな告知面を形成でき、これに伴い、側板１２が下方の固定部１３のみの高さとなって、商品が大きく露出するので、告知面に囲まれた商品が目立ち、優れた訴求効果を得ることができる。
【００２７】
次に、この発明の第２実施形態を図７に基づいて説明する。
【００２８】
この包装箱は、上記第１実施形態の構成に加え、両側板１２と折込片１６に跨って、中央の谷折線１８ａへ向かうＶ字状の山折線１８ｂに挟まれた折込部分１８ｃを設け、折込部分１８ｃの折込片１６側から表示板１８を延出したものとされている。
【００２９】
これにより、折込片１６を広げると、折込部分１８ｃが伸びて表示板１８が立ち上がるので、より優れた訴求効果を得ることができる。
【００３０】
なお、上記各実施形態では、箱本体１にスリット１７を入れ、スリーブ２にガイド片２５を設けたが、スリーブ２が上下方向に長い場合には、これとは逆に、スリーブ２にスリットを入れ、箱本体１にガイド片を設けて、箱本体１からスリーブ２を抜け止めするようにしてもよい。
【００３１】
また、スリーブ２の蓋板２３で天面を閉止するものを例示したが、スリーブ２とは別体の蓋を被せて、天面を閉止するようにしてもよい。
【符号の説明】
【００３２】
１  箱本体
２  スリーブ
１１  底壁
１２  側板
１３  固定部
１３ａ  重合片
１４  可動部
１４ａ  指入切欠
１５  谷折線
１６  折込片
１６ａ  山折線
１６ｂ  谷折線
１７  スリット
１８  表示板
１８ａ  谷折線
１８ｂ  山折線
１８ｃ  折込部分
２１  枠側板
２１ａ  指入切欠
２２  継代片
２３  蓋板
２４  差込片
２５  ガイド片
２６  蓋受片
【図１】
2011105313.tif 000003
【図２】
2011105313.tif 000004
【図３】
2011105313.tif 000005
【図４】
2011105313.tif 000006
【図５】
2011105313.tif 000007
【図６】
2011105313.tif 000008
【図７】
2011105313.tif 000009
【図８】
2011105313.tif 000010